(57)【要約】【課題】  リール装置に設ける演出装置を簡易に構成でき、リール装置の装置構成の複雑化を招くことのない遊技機の提供。【解決手段】  リール基部６０に設けられる磁石８６と、リール７０に設けられ、対向する磁石８６の電磁誘導作用により誘導起電力を発生するコイル８１と、コイル８１と接続されてリール７０の円筒内側に配設され、コイル８１からの正の誘導起電力で発光する第１のＬＥＤ８２ｂ，８２ｃと、コイル８１と接続されてリール７０の円筒内側に配設され、コイル８１からの負の誘導起電力で発光して第１のＬＥＤ８２ｂ，８２ｃと異色で発光する第２のＬＥＤ８２ａ，８２ｄとを有する発光装置８０を備えて構成している。また、リール装置５０の作動制御を行う制御装置２３に、リール８０の停止時にリール７０をバウンドさせて停止するように作動制御するバウンド停止手段を備えて構成してもよい。【選択図】  図５
2006102292.tif 000002
【特許請求の範囲】
【請求項１】
リール基部と、前記リール基部に回動可能に取り付けられる円筒状のリールとからなるリール装置を備えて構成される遊技機において、
前記リール基部における前記リールと対向する部分に設けられる磁石と、
前記リールにおける少なくとも前記リールの回転時に前記磁石と対向する位置に設けられ、前記磁石の電磁誘導作用により誘導起電力を発生するコイルと、
前記コイルと接続されて前記リールに配設され、前記コイルからの正の前記誘導起電力を受けて発光する第１のＬＥＤと、
前記コイルと接続されて前記リールに配設され、前記コイルからの負の前記誘導起電力を受けて発光し、前記第１のＬＥＤと異色で発光する第２のＬＥＤとを有する発光装置を備えて構成されることを特徴とする遊技機。
【請求項２】
前記リール装置の作動制御を行う制御装置に、前記リールの停止時に前記リールをバウンドさせて停止するように作動制御するバウンド停止制御手段を備えて構成されることを特徴とする請求項１に記載の遊技機。
【発明の詳細な説明】
【技術分野】
【０００１】
本発明は、リール基部と、リール基部に回動可能に設けられるリールを有して構成されるリール装置を備えて構成される遊技機に関し、さらに詳しくはリール装置に設けられる発光装置の構成に関する。
【背景技術】
【０００２】
このような遊技機の代表例としてスロットマシンがある。スロットマシンは、前面開口を有した矩形箱状の筐体と、前面開口を開閉自在に覆って常には閉鎖姿勢とされる前扉とからなるキャビネットケースにスロット遊技装置を適宜配設して構成される。スロット遊技装置の一つであるリールユニットは筐体内に配設され、外面に多種の図柄が描かれた円筒状のリールを回動可能としてリール基部に設けてそれぞれ構成される３つのリール装置をユニットケース内に並設して構成される。前扉には閉鎖姿勢としたときに筐体内のリールユニットと位置整合する透視窓が設けられており、常にはリールユニットが透視窓を介して３つのリールの所定範囲をスロットマシン前面に臨ませている（例えば、特許文献１）。
【０００３】
このようなリールユニットのリール基部には、リールの円筒内周面側に位置してバックランプが設けられており、遊技状態に応じてバックランプの点灯パターンを制御することで遊技者の視覚に訴える演出が行われている。このようなバックランプの制御は、ユニットケースに取り付けられた制御基板とバックランプとをケーブルで接続し、この制御基板からバックライト側に点灯パターンを電気信号として送信することにより行われている。また、リールの停止時にリールをバウンドさせて停止させる作動制御を行い、このようなバウンド停止が行われると遊技状態が遊技者にとって有利なものへと移行するとの期待感を高める演出を行うスロットマシン機種もある。
【特許文献１】特開２００４−２１５８０３号公報
【発明の開示】
【発明が解決しようとする課題】
【０００４】
スロットマシンにより提供される遊技は、リールを回転始動させることにより開始し、リール停止時に透視窓から前面に臨む図柄組み合わせ態様に応じてメダルの払出が行われるものであることから、リールユニットは遊技者に最も注視される遊技装置であり、さらに遊技者の興味を引くような演出を行う装置構成が求められている。しかしながら、従来のリールユニットにはリールの回転駆動源たるモータ、上記バックランプ等に信号送信するためのケーブルが既に多数配設されていることから、リールのような回転体にさらなる演出用の発光装置を設け、これに電力供給あるいは信号送受信のためのケーブル配線を行うことは困難を伴い、装置構成の複雑化を招くという問題があった。また、リールのような回転体に発光装置を設ける場合においては、高価とされる水銀式コネクタ、接点劣化の大きいブラシ型接点等を用いて配線を行うこととなるため、装置のコスト高騰化を招くおそれがあるという問題がある。さらに、従来の手段で新たな発光装置を設けたとするとその作動制御はソフトウェア制御により行われることとなり、制御基板への実装機器の複雑化、処理部の負荷増化を招くおそれがあるという問題がある。
【０００５】
本発明は上記事情に鑑み、リール装置に設ける演出用の発光装置を簡易に構成でき、且つこの発光装置を設けるにあたってリール装置の装置構成の複雑化を招くことのない遊技機を提供することを目的とする。
【課題を解決するための手段】
【０００６】
上記目的達成のため、本発明に係る遊技機は、リール基部と、このリール基部に回動可能に取り付けられる円筒状のリールとからなるリール装置を備えて構成される遊技機において、リール基部におけるリールと対向する部分に設けられる磁石と、リールにおける少なくともリールの回転時に磁石と対向する位置に設けられ、磁石の電磁誘導作用により誘導起電力を発生するコイルと、コイルと接続されてリールに配設され、コイルからの正の誘導起電力で発光する第１のＬＥＤと、コイルと接続されてリールに配設され、コイルからの負の誘導起電力で発光して第１のＬＥＤと異色で発光する第２のＬＥＤとを有する発光装置を備えて構成している。
【０００７】
また、リール装置の作動制御を行う制御装置に、リールの停止時にリールをバウンドさせて停止するように作動制御するバウンド停止手段を備えて構成してもよい。
【発明の効果】
【０００８】
本発明は、リールに、リール基部に設けた磁石の電磁誘導作用により誘導起電力を発生するコイルを設け、リールに設けられてコイルの正の誘導起電力で発光する第１のＬＥＤと、同じくリールに設けられてコイルの負の誘導起電力で発光する第２のＬＥＤとを異色発光させる発光装置を備えて構成している。このように、両ＬＥＤは駆動源をリールに設けたコイルの誘導起電力としており、従来のように電源装置と繋がる制御基板からケーブル等の配線を通じて電力供給を行う必要がなく、新たな発光装置を設けたリール装置を簡易に構成することができる。また、この発光装置によれば、リールが始動して回動し、停止するに至り、誘導起電力の正負が転換すれば異なる色のＬＥＤを発光させることができ、誘導起電力が発生しなければＬＥＤを消灯させることができるが、このようなＬＥＤの点灯および消灯を、制御装置を介さずに行うことができる。
【０００９】
また、遊技機をリール停止時にバウンドするようにして停止させる作動制御を行うバウンド停止手段を備えて構成すると、バウンド停止したときにバウンドに合わせてコイルに生じる誘導起電力の正負が転換する。このため、バウンド停止時に互いに異色を発光する第１および第２のＬＥＤがリールのバウンドに合わせて交互に点滅することとなり、バウンド停止時の演出装置としてその演出効果を発揮することができる。そして、このようなバウンド停止制御と連動した発光演出を、制御装置を介さずに行うことができる。
【発明を実施するための最良の形態】
【００１０】
以下、本発明の好ましい実施形態について図面を参照しながら説明する。本発明に係る遊技機の代表例としてスロットマシンＳＭを図１および図２に示しており、まず、これらの図面を参照しながらスロットマシンＳＭの全体構成について要約説明する。ここで、図１はスロットマシンＳＭの斜視図、図２は上記スロットマシンＳＭにおける前扉を取り外した状態を示す正面図である。
【００１１】
スロットマシンＳＭは、前面側に開口を有する箱状の筐体２と、この開口を開閉自在に覆って取り付けられる前扉３とから構成される略直方体状のキャビネットケース１内に遊技構成装置を配設して構成される。前扉３は、筐体２および前扉３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１２】
筐体２の内部には、円筒外周面に沿って多種の図柄が設けられた３つのリール７０，７０，７０が遊技構成装置として回転可能に配設されており、さらに筐体２の内部には、３つのリール７０，７０，７０を回転・停止駆動させるリールユニット２１、遊技メダルの払出を行うメダル払出装置２２、スロットマシンＳＭの作動を統括的に制御する主制御基板２３、リールユニット２１、メダル払出装置２２、主制御基板２３等のスロットマシン構成機器に電力を供給する電源装置２４などが取り付けられている。
【００１３】
一方、前扉３には、メダル投入口３１、スタートレバー３２や停止ボタン３３，３３，３３等や、左右の上部スピーカ３４，３４および下部スピーカ３５等が取り付けられ、ワイヤーハーネス（図示せず）で筐体２側の主制御基板２３や電源装置２４などと接続されている。また前扉３の中間部には、３つのリール７０，７０，７０と位置整合して透視窓３６が配設されており、３つのリールの所定範囲を機体正面に臨ませている。さらに前扉３の中央下部には、前扉３に設けられたメダル通路（図示せず）と位置整合してメダル払出口３７が設けられるとともに、その下部に受け皿３８が配設されており、図示しないメダルセレクタから返却される返却メダルや、メダル払出装置２２から払い出された遊技メダルがメダル払出口３７を通過して受け皿３８で受け止められ貯留されるように構成されている。
【００１４】
このように構成されたスロットマシンＳＭでは、遊技者がメダル投入口３１より遊技メダルを投入し、スタートレバー３２を操作すると、制御基板により当該遊技の役（当たり役および外れ役）が抽選され３つのリール７０，７０，７０が回転始動する。遊技者は回転している３つのリール７０，７０，７０を任意に選択し、所望の順序およびタイミングで停止ボタン３３，３３，３３を操作して、３つのリール７０，７０，７０を停止させる。回転していた３つのリール７０，７０，７０が全て停止すると、入賞判定が行われる。リール停止時に透視窓３６から前面に臨ませる図柄（停止図柄）の組み合わせ態様が、遊技当初に抽選された役に対して予め設定された入賞図柄の組み合わせ態様と一致するときには、入賞しているとしてメダル払出装置２２よりメダル投入枚数以上に設定される所定枚数のメダルが払い出され、停止図柄および入賞図柄の組み合わせ態様が一致しないときには、入賞していないとして遊技が終了し、遊技者はメダル投入枚数に応じたメダル数を失うこととなる。このようにして本スロットマシンＳＭで遊技を行う遊技者は、リールの停止図柄を入賞図柄の組み合わせ態様と一致させるようにリールを停止させることで遊技メダルを増やす興趣を楽しむことができる。
【００１５】
また、抽選役が大当たり役を含む当たり役であった場合に、リール停止時にリールをバウンドさせて停止させる作動制御を行う処理（バウンド停止制御手段）が実行されるように主制御基板２３のＲＯＭ等に記憶される遊技処理プログラムに組み込まれている。このようなバウンド停止制御手段の実行により、遊技者にスタートレバー操作後の役抽選において大当たり役が抽選されたのではないかとの期待感を生む演出が行われる。
【００１６】
次に、図３および図４を参照しながら、リールユニット２１について説明する。ここで、図３はリールユニット２１の斜視図、図４はリールユニット２１を構成するリール装置５０の分解斜視図である。リールユニット２１は、図３に示すように、回動および停止するリール６０をそれぞれ備える３つのリール装置５０，５０，５０と、３つのリール装置５０，５０，５０を収容保持するユニットケース５１とを有して構成される。
【００１７】
ユニットケース５１は、樹脂および金属製の板材を組み合わせて箱状に形成され、各リール７０，７０，７０の回転軸がほぼ一致する左右に並んだ状態とされて３つのリール装置５０，５０，５０を内部に収容するように構成される。このとき、３つのリール装置５０，５０，５０はそれぞれ、ラッチ等の固定装置６６，６６，…により固定されるようになっている。
【００１８】
リール装置５０は、図４に示すように、円筒外周面に沿って多種の図柄が設けられたリール７０と、リール７０を軸固定するリール基部６０とからなり、リール基部６０は、ベース板６４に設けたステー６５に、リール７０を回転駆動するリールモータ６１、リール７０の回転検出を行う回転検出センサ６２、リール７０の円筒外周面を照らし出すバックランプ６３等を取り付けて構成される。
【００１９】
リールモータ６１は、所定の制御信号により作動するステッピングモータであり、リールモータ６１のモータ軸６１ａには、リール７０がこのモータ軸６１ａと一体回転するように取り付けられる。また、リールモータ６１は、ユニットケース５１の上部に取り付けられるとともに主制御基板２３と図示しないケーブルで接続されたリール装置基板５３と電気的に接続されており、リール装置基板５３から出力された回転・停止駆動信号により、リールモータ６１が回転もしくは停止作動するようになっている。
【００２０】
回転検出センサ６２は、所定の検出光を発光する発光部６２ａと、発光部６２ａからの検出光を検出する受光部６２ｂとを備えたビームセンサであり、発光部６２ａと受光部６２ｂとの間にリール７０に設けられた遮光突起７２ａが位置すると、回転検出センサ６２の検出光が遮られるようになっている。また、回転検出センサ６２は、リール装置基板５３と電気的に接続されており、回転検出センサ６２からの検出信号がリール装置基板５３に入力されるようになっている。すなわち、リール装置基板５３により、回転検出センサ６２からの検出信号に基づいて、リール７０における遮光突起７２ａの形成位置を回転基準位置としてリール７０の回転検出が行われるようになっている。
【００２１】
バックランプ６３は、リール７０の内側周部に位置するようにベース板６４に取り付けられており、リール７０の円筒外周面における所定領域が照らし出されるようになっている。また、バックランプ６３は、ユニットケース５１の上部に取り付けられたバックランプ中継基板５４と電気的に接続されており、バックランプ中継基板５４から出力された点灯信号により、バックランプ６３が点灯するようになっている。
【００２２】
ベース板６４は、樹脂材料を用いて射出成形等の成形手段により板状に一体的に形成され、中央部にリールモータ６１およびリール７０が取り付けられるとともに、ステー６５を用いて回転検出センサ６２およびバックランプ６３が取り付けられている。そして、ベース板６４の上下端部前方には、ラッチ等による固定装置６６，６６が設けられており、ベース板６４をユニットケース５１の内部で収容固定できるようになっている。
【００２３】
また、ベース板６４の中央部前方には、ステー６５を介してリールの外径と同径の前カバー６７が設けられており、前カバーの前端部には透視窓３６を通してリールユニット２１を見たときにリール装置５０の内部を盲にするための扇形のブラインド６７ａが突設されている。同様に後方においてもブラケット６８を介してリールの外径と同径の後カバー６９が取り付けられている（図６を併せて参照）。
【００２４】
リール７０は、円筒枠状に形成されるリール本体７１を主体に構成され、リール本体７１の外輪７１ａにそれぞれ繋がる４本のスポーク７２，７２，…の中心に位置して設けた軸固定部７３にネジ等の固定手段によりリールモータ６１のモータ軸６１ａが取り付けられてモータ軸６１ａと一体回転するようになっており、樹脂材料を用いて射出成形等の成形手段により一体的に形成される。そして、リール本体７１の円筒外周面には、多種の図柄が設けられたリールテープ７９が装着されており、リール本体７１の円筒外周面に沿って多種の図柄が形成されるようになっている。
【００２５】
リール本体７１には、軸固定部７３の軸を同一軸とする円形状の２つの内輪７４ａ，７４ｂと、両内輪７４ａ，７４ｂ間に軸方向に延びて設けられる複数のリブ７４ｃ，７４ｃ，…とからなる円筒枠状の内枠７４が形成されており、リール７０をリール基部６０に取付状態としたときにリール基部６０と離反した側に位置する内輪７４ａが４本のスポーク７２，７２，…と繋がれてリール本体７１と一体形成されている。
【００２６】
このような内枠７４に、図５の概要構成図に示すように、発光装置８０のコイル８１およびＬＥＤ８２ａ〜８２ｄが設けられている。内枠７４の基部側内輪枠７４ｂには、金属線からなる複数のコイル８１，８１，…が巻回されている。そして、複数のリブ７４ｃ，７４ｃ，…のそれぞれには、４つのＬＥＤ８２ａ〜８２ｄが並んで設けられており、近傍のコイル８１と閉回路を形成して電気接続されている。これらＬＥＤのうち両側２つのＬＥＤ８２ａ，８２ｄは緑色発光し、中央２つのＬＥＤ８２ｂ，８２ｃは赤色発光するようになっており、それぞれリール本体の外周面に沿う装着されるリールテープ７９の裏面を照らすように発光面が向けられている。４つのＬＥＤは直列する両側２つのＬＥＤ８２ａ，８２ｄと、直列する中央２つのＬＥＤ８２ｂ，８２ｃとを並列接続しており、閉回路中に矢印ｉａ方向に電流が流れると両側２つのＬＥＤ８２ａ，８２ｄが点灯し、矢印ｉｂ方向に電流が流れると中央２つのＬＥＤ８２ｂ，８２ｃが点灯するようになっている。
【００２７】
リール基部６０においては、図６に示すように、ベース板６４、前カバー６７、後カバー６９に渡って複数の永久磁石８６，８６，…がＮ極とＳ極とを互いに対峙させるようにしてリール７０の内輪７４ａ、７４ｂとほぼ同径の円周上に設けられている。このようなリール７０とリール基部６０とは、モータ軸６１ａと軸固定部７３とをネジ等で固定することにより、基部側内輪７４ｂに設けられたコイル８１，８１，…とリール基部６０に周設された永久磁石８６，８６，…とが対向して取付状態となってそれぞれのリール装置５０が構成される。また、永久磁石８６，８６，…が周設されているため、基部側内輪７４ｂの周囲にはこれら永久磁石８６，８６，…によりほぼ一様な磁場が形成される。
【００２８】
このようなリール装置５０，５０，５０を備えて構成されるリールユニット２１を筐体２の内部に配設したスロットマシンＳＭは、前扉３が閉鎖姿勢とされ、前扉３の透視窓３６からリール７０，７０，７０の所定範囲を前面に臨ませた状態となって遊技に供される。この状態で遊技者によりメダル投入口３１からメダルが投入され、スタートレバー３２が傾動操作されると、当該遊技の役抽選が行われて３つのリールが回転始動する。
【００２９】
リール７０，７０，７０が回転することにより、リール基部６０に周設された永久磁石８６，８６，…が発生する磁場内をリール７０に設けられたコイル８１のそれぞれがモータ軸６１ａの回転角加速度に等しく回転する。これにより、Ｖ＝−ｄΦ／ｄｔ（Ｖ：誘導起電力[V]，Φ：磁束[Wb]，ｔ：時間[s]）から求まる負の誘導起電力がコイル８１，８１，…に発生し、それぞれのコイルが繋がる閉回路中に誘導電流（図示する矢印ｉａ方向の電流）が流れ、各リブ７４ｃ，７４ｃ，…の両側に配設される２つのＬＥＤ８２ａ，８２ｄがリールテープ７９の裏面に向けて緑色発光する。このとき、遊技者により高速回転する各リール７０，７０，７０の側縁部が緑色の筋状に縁取られたように視認されることとなる。リール７０は、回転始動した後に等速回転するように作動制御され、これにより誘導起電力はゼロとなってＬＥＤ８２ａ〜８２ｄからの発光が行われないようになる。
【００３０】
停止ボタン３３が押圧操作されると、各停止ボタン３３に対応したリール５０の停止制御がなされる。対応する停止ボタン３３が操作されたリール７０は、等速回転している状態からごく短い時間内で停止するように作動制御される。このとき、Ｖ＝−ｄΦ／ｄｔから求まる正の誘導起電力がコイル８１，８１…に発生し、それぞれのコイル８１が繋がる閉回路中に誘導電流（図示する矢印ｉｂ方向の電流）が流れ、各リブ７４ｃ，７４ｃ，…の中央に位置して配設される２つのＬＥＤ８２ｂ，８２ｃがリールテープ７９の裏面に向けて赤色発光する。このとき、遊技者によりリールの中央部、即ち図柄の描かれる部分が赤色に発光するように視認されることとなる。
【００３１】
また、スタートレバー３２の操作後の役抽選時において、当たり役が抽選されてバウンド停止制御手段を実行させるようになっていたとすると、上記と同様にしてリール回転始動後に各リールのリブ両側に設けられたＬＥＤが緑色発光する。そして停止ボタン３３の押圧操作後のリール停止時においては、等速回転している状態からごく短い時間内で停止状態とされ、さらに瞬間的に逆方向にリール７０が回転され、その後また正回転してリール７０が停止される。これにより、各コイル８１，８１，…に発生する誘導起電力の正負がリールの挙動に同期して転換するため、両側２つのＬＥＤと中央２つのＬＥＤとがリールテープ７９の裏面に向けて交互に発光することとなる。遊技者には、リールがバウンドして停止したことが確認されるとともに、緑色発光するＬＥＤおよび赤色発光するＬＥＤの点滅が視認されることとなる。
【００３２】
このように構成されるスロットマシンＳＭにおいては、リールユニット２１を構成する３つのリール装置５０，５０，５０のそれぞれに、４つのＬＥＤ８２ａ〜８２ｄからなる発光装置８０，８０，…を設けており、このＬＥＤ８２ａ〜８２ｄの駆動源をリール基部６０に設けた永久磁石８６，８６，…により電磁誘導作用を受けるコイル８１，８１，…をリール７０に配設し、このコイル８１の誘導起電力を受けてＬＥＤ８２ａ〜８２ｄが発光するように構成している。このように、発光装置８０は、従来のように、制御基板とケーブルを介して接続して電力供給を受けることを回避しており、新たな発光装置をリール装置５０に設けるにあたって構成の複雑化を招かずにリールユニット２１を構成することができる。
【００３３】
また、正の誘導起電力を受けて発光するＬＥＤと、負の誘導起電力を受けて発光するＬＥＤとが異なる色で発光するように構成されている。また、このような構成の発光装置８０が、一般に始動操作を受けて回転始動した後に等速回転を行い、停止操作を受けてごく短時間のうちに停止するよう作動制御されるリールユニット２１に設けられている。このため、永久磁石８６，８６，…を周設してコイル８１の通過箇所に一様な磁場を形成することにより、始動操作後に発光させてその後消灯させ、停止操作時に始動時とは異なる色で発光させるとする発光装置を、簡易に構成することができる。また、従来のように制御装置を介したソフトウェア制御を行うことなく効果的な演出を行うことが可能となる。
【００３４】
また、リール停止時にバウンドして停止するようにリールの作動制御を行い、これを遊技者に期待感を生ませる演出とするバウンド停止制御手段を備えて構成されるスロットマシンに、上記発光装置８０を設けることにより、リール７０の正逆回転挙動に応じて誘導起電力の正負が転換することから交互に異なる色のＬＥＤが発光し、バウンド停止時の演出装置として演出効果を発揮することができる。また、このリール７０の挙動と連動した発光演出を制御装置を介することなく行うことができ、主制御基板２３等の制御基板への実装機器の構成を複雑化することなく演出を行うことができる。
【００３５】
なお、４つのＬＥＤを配設し、両側２つのＬＥＤを緑色発光するものとし、中央２つのＬＥＤを赤色発光するものとしてそれぞれ構成したが、ＬＥＤの個数および発光色はこれに限られず、リール回転方向に応じて異なる色が発光されるように構成されていれば同様に実施可能であり、同様の効果を得ることができる。
【００３６】
また、永久磁石８６，８６，…をリール基部６０においてベース板６４、前カバー６７、後カバー６９に渡って周設するものとしているが、必ずしもこのような構成に限られず、例えば、前カバー６７にのみ永久磁石８６を配設して透視窓３６から前面に臨む前方部にのみ磁場を形成し、リール７０の回転中にコイル８１，８１，…が前方部を通過するときに常にＬＥＤ８２ａ〜８２ｄを発光させるように発光装置８０を構成することも可能である。
【００３７】
また、上記実施例においては、本発明に係る遊技機としてスロットマシンを例に挙げて説明したが、リール装置を備えて構成される遊技機であれば同様にして適用可能であり、同様の効果を得ることができる。
【００３８】
以上説明した本発明の実施形態において、達成される主要な効果を整理すれば、下記のようになる。
【００３９】
第１に、リールユニット２１を構成する３つのリール装置５０，５０，５０のそれぞれに、４つのＬＥＤ８２ａ〜８２ｄからなる発光装置８０，８０，…を設けており、このＬＥＤ８２ａ〜８２ｄの駆動源をリール基部６０に設けた永久磁石８６，８６，…により電磁誘導作用を受けるコイル８１，８１，…をリール７０に配設し、このコイル８１の誘導起電力を受けてＬＥＤ８２ａ〜８２ｄが発光するように構成している。このように、本リール装置の発光装置８０は、従来のように、制御基板とケーブルを介して接続して電力供給を受けることを回避しており、新たな発光装置をリール装置５０に設けるにあたって装置構成の複雑化を招かずに装置構成することができる。同様に、従来のように制御装置を介したソフトウェア制御を行うことなく効果的な演出を行うことが可能となる。
【００４０】
第２に、バウンド停止制御手段を備えるスロットマシンに適用することにより、停止するリールの挙動に連動した発光演出を制御装置を介せずに行うことが可能となり、主制御基板等への実装機器を複雑化せずに演出を行うことができる。
【図面の簡単な説明】
【００４１】
【図１】スロットマシンの全体を示す斜視図である。
【図２】上記スロットマシンの筐体内部を示す正面図である。
【図３】リールユニットの全体を示す斜視図である。
【図４】リール基部とリールとを分解して示すリール装置の斜視図である。
【図５】発光装置の概要構成を示す構成図である。
【図６】永久磁石の配設状態を示すベース板の正面図である。
【符号の説明】
【００４２】
ＳＭ  スロットマシン
２１  リールユニット
２３  主制御基板
５０  リール装置
５３  リール制御基板
５４  ランプ中継基板
６０  リール基部
７０  リール
８０  発光装置
８１  コイル
８２  ＬＥＤ
８６  永久磁石
【図１】
2006102292.tif 000003
【図２】
2006102292.tif 000004
【図３】
2006102292.tif 000005
【図４】
2006102292.tif 000006
【図５】
2006102292.tif 000007
【図６】
2006102292.tif 000008